(57)【要約】 【課題】外部から遊技機内部に針金等の異物を侵入させる不正遊技を効果的に防止することができ、その上、部品コストや組立てコストを低減することができる枠体ユニット及びその枠体ユニットを有して構成される遊技機を提供すること。【解決手段】この枠体ユニット３は、パチンコ機２の筐体枠４と装飾枠１２とを有して構成され、筐体枠４が、外周を取り囲むように形成された第１外周部５ａと、第１外周部５ａと段違いとなるようその内側周囲に形成された第１内周部５ｂと、第１外周部５ａと第１内周部５ｂとを連結する周壁５ｃとを有し、装飾枠１２が、第１外周部５ａと対向するように形成された第２外周部１２ａと、第１内周部５ｂと対向するように第２外周部１２ａと段違いに形成されたリブ１３ａとを有し、周壁５ｃ又はリブ１３ａのいずれか一方が第１外周部５ａと第２外周部１２ａとの隙間１２ｂを遮蔽する。【選択図】図４
2008173304.tif 000002
【特許請求の範囲】
【請求項１】
遊技機の周囲を囲む第１枠体と該第１枠体に対して前面開閉可能に揺動支持された第２枠体とを有して構成される枠体ユニットであって、
前記第１枠体が、
外周を取り囲むように形成された第１外周部と、
該第１外周部と段違いとなるようその内側周囲に形成された第１内周部と、
前記第１外周部と前記第１内周部とを連結する周壁とを有し、
前記第２枠体が、
前記第１外周部と対向するように形成された第２外周部と、
前記第１内周部と対向するように前記第２外周部と段違いに形成された第２内周部とを有し、
前記周壁又は前記第２内周部のいずれか一方が前記第１外周部と前記第２外周部との隙間を遮蔽する枠体ユニット。
【請求項２】
前記第１内周部が、前記第１外周部に対して凹むように段違いに形成され、かつ前記第２外周部が前記隙間を遮蔽する請求項１に記載の枠体ユニット。
【請求項３】
前記第１枠体がアルミニウムで形成され、かつ前記第１外周部、前記第１内周部及び前記周壁が一体形成されている請求項１又は請求項２に記載の枠体ユニット。
【請求項４】
前記第２内周部が金属板で形成されている請求項１から請求項３のうちいずれか１項に記載の枠体ユニット。
【請求項５】
請求項１から請求項５のうちいずれか１項に記載の枠体ユニットと、
遊技媒体による遊技を演出する遊技装置体と、
該遊技装置体を保持し、前記第１枠体に対して前面開閉可能に揺動支持された機枠と、
前記遊技装置体に対して一定距離離間して配置された前面透明板と、
前記遊技媒体を貯留する貯留皿とを有し、
前記第２枠体が該前面透明板又はその周囲を囲む装飾部材を保持する遊技機。
【発明の詳細な説明】
【技術分野】
【０００１】
本発明は、枠体ユニット及び遊技機に係り、特に、パチンコ機等の遊技機において、その内部に枠体外部から異物を侵入させる不正を効果的に防止し得る枠体ユニット等に関する。
【背景技術】
【０００２】
パチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠により囲まれるように構成されて、球の円滑な流下、遊技者による不正遊技防止、パチンコホールへの設置性の向上、メンテナンス性の向上、遊技の演出等様々な機能を実現している。
【０００４】
具体的には、筐体枠がパチンコ機全体の主に上下面及び左右側面を囲むように構成されている。この筐体枠は、一般に木材又は樹脂等で形成された枠体であって、全体として略直方体形状を呈してその前後面部分が大きく開口して略筒状とされ、例えて言えば「四角筒」様形状とされている。
【０００５】
そして、その筐体枠の前面、すなわち、遊技者側には機枠が配置されている。この機枠は、遊技盤を保持するための枠体であって、筐体枠に対して開閉及び施錠可能に揺動支持されている。さらに、この機枠はその裏面側に景品球払出し装置、入賞球処理装置、球の各種通路を含む裏機構盤を保持している。
【０００６】
機枠の前面側には装飾枠が配置されている。この装飾枠は遊技者に直接対向する位置に配置された枠体であって、一般に、中央近傍に遊技盤を視認するための開口が形成されてその開口部分に例えばガラス等の透明板を保持している。さらに装飾枠は透明板の周囲に、遊技を演出するための造作物や色彩・模様が付されるとともに電飾用ランプや効果音発生用スピーカ等が設けられた装飾部材を保持している。
【０００７】
これらの枠体は、単独で又は協働して外部からの不正遊技を防止する機能を発揮している。例えば、遊技者が外部から針金等を遊技盤面に侵入させて、針金によって球を誘導したり入賞装置を作動させたりする不正遊技を行う場合がある。このような不正遊技に対して、装飾枠及び透明板が遊技盤の前面を覆って前面からの不正を防止している。また、筐体枠、装飾枠が協働してパチンコ機の左右側面及び上面を囲み、左右側面及び上面からの不正を防止している。
【０００８】
このような、パチンコ機の枠体、特に筐体枠の構造について、例えば特許文献１に開示のものがある。
【０００９】
【特許文献１】特開２００５−０００４３０号公報
【発明の開示】
【発明が解決しようとする課題】
【００１０】
しかしながら筐体枠と装飾枠との当接部には、両者の製造上や組立て上の寸法精度に起因する隙間が存在する。したがって、遊技者がその隙間から細い針金等を侵入させて不正遊技を行う場合がある。
【００１１】
そのような不正遊技を防止するためには、隙間が充分小さくなるように寸法管理を行う必要がある。そのためには、筐体枠や装飾枠の部品寸法を高精度とする必要があり、結果として部品コストの向上に繋がってしまうという問題がある。
【００１２】
また、隙間が非常に小さい場合であっても、樹脂等で形成された筐体枠や装飾枠をその隙間から変形させつつこじ開けて針金等を侵入させる場合もある。さらに酷い場合には、筐体枠や装飾枠にドリルで孔を開け、その孔から針金等を侵入させる場合もある。このように、現状の枠体では例え隙間を高精度に寸法管理したとしても、近年エスカレートする不正遊技を充分効果的に防止することができないという問題がある。
【００１３】
本発明は上記の事情に鑑みて為されたもので、外部から遊技機内部に針金等の異物を侵入させる不正遊技を効果的に防止することができ、その上、部品コストや組立てコストを低減することができる枠体ユニット及びその枠体ユニットを有して構成される遊技機を提供することを例示的課題とする。
【課題を解決するための手段】
【００１４】
上記の課題を解決するために本発明の例示的側面としての枠体ユニットは、遊技機の周囲を囲む第１枠体と第１枠体に対して前面開閉可能に揺動支持された第２枠体とを有して構成される枠体ユニットであって、第１枠体が、外周を取り囲むように形成された第１外周部と、第１外周部と段違いとなるようその内側周囲に形成された第１内周部と、第１外周部と第１内周部とを連結する周壁とを有し、第２枠体が、第１外周部と対向するように形成された第２外周部と、第１内周部と対向するように第２外周部と段違いに形成された第２内周部とを有し、周壁又は第２内周部のいずれか一方が第１外周部と第２外周部との隙間を遮蔽することを特徴とする。
【００１５】
第１枠体の第１外周部と第２枠体の第２外周部との隙間が周壁又は第２内周部のいずれか一方によって遮蔽されるので、枠体の外部から異物を侵入させることが非常に困難である。したがって、不正遊技を効果的に防止することができる。周壁又は第２内周部のいずれか一方が隙間を遮蔽するので、隙間の寸法を高精度に管理する必要がない。したがって、枠体の部品精度や組立て精度を必要以上に高精度とする必要がなく、結果として枠体ユニットの製造コスト（部品コストや組立てコスト。）を低減することができる。
【００１６】
なお、ここで「隙間を遮蔽する」とは、隙間を塞ぐことにより隙間からの異物の侵入を遮断することを含む概念である。
【００１７】
第１内周部が、第１外周部に対して凹むように段違いに形成され、かつ第２外周部が隙間を遮蔽するように構成されていてもよい。すなわち、第１枠体の第１外周部が第１内周部よりも突出し、第２枠体の第２内周部が第２外周部よりも突出する構造とされていてもよい。
【００１８】
第２内周部が隙間を遮蔽することになるので、この第２内周部を高強度の材料とすることで、より一層異物の侵入を困難にすることができる。異物によって第２内周部が損傷した場合も、第２内周部又は第２枠体を交換するのみで済むので、交換コストを低減することもできる。
【００１９】
第１枠体がアルミニウムで形成され、かつ第１外周部、第１内周部及び周壁が一体形成されていてもよい。第１枠体がアルミニウムで形成されれば、第１外周部、第１内周部及び周壁を高強度とすることができる。したがって、例えばドリルで孔を開けて異物を侵入させる不正遊技をも効果的に防止することができる。その第１外周部、第１内周部及び周壁が一体形成されていれば、例えば第１枠体をアルミニウムの押出成形により形成することができるので、製造コストを低減することができる。
【００２０】
第２内周部が金属板で形成されていてもよい。第２内周部が金属板であれば、その第２内周部が隙間を遮蔽する場合であっても、確実に不正遊技を防止することができる。例えばドリルで孔を開けて異物を侵入させようとしても、金属板の第２内周部がその不正遊技を阻止する。第２内周部が例えば鉄を材料とする板金部材であれば、より一層ドリルによる孔開けを効果的に阻止することができる。
【００２１】
本発明の他の例示的側面としての遊技機は、上記の枠体ユニットと、遊技媒体による遊技を演出する遊技装置体と、遊技装置体を保持し、第１枠体に対して前面開閉可能に揺動支持された機枠と、遊技装置体に対して一定距離離間して配置された前面透明板と、遊技媒体を貯留する貯留皿とを有し、第２枠体が前面透明板又はその周囲を囲む装飾部材を保持することを特徴とする。
【００２２】
この遊技機は、上記の枠体ユニットを有しており不正遊技を効果的に防止することができるので、パチンコホールの経営者や店員が安心して遊技を提供することができる。この遊技機をパチンコホールに設置することにより、不正遊技を試みる遊技者をパチンコホールから遠ざけることができ、結果的に他の遊技者も安心して遊技を行うことができる。
【００２３】
本発明の更なる目的又はその他の特徴は、以下添付図面を参照して説明される好ましい実施の形態によって明らかにされるであろう。
【発明の効果】
【００２４】
本発明によれば、外部から遊技機内部に針金等の異物を侵入させる不正遊技を効果的に防止することができる。したがって、パチンコホールの経営者や店員が安心して遊技を提供することができるとともに、遊技者が安心して遊技を行うことができる。さらに、遊技機の部品コストや組立てコストを低減することができるので、結果として遊技機全体のコスト低減に寄与することができる。
【発明を実施するための最良の形態】
【００２５】
［実施の形態１］
以下、本発明の実施の形態１について図面を用いて説明する。図１は、本発明の実施の形態１に係る枠体の施錠装置を有する遊技機としてのパチンコ機２の外観を示す外観斜視図である。パチンコ機２は、筐体枠（第１枠体）４、遊技盤（遊技装置体）６、機枠８、前面透明板１０、装飾枠（第２枠体）１２、上皿（貯留皿）１４を有して構成されている。この筐体枠４及び装飾枠１２を有して枠体ユニット３が構成されている。パチンコ機２は、さらに、球発射装置（図示せず。）、発射ハンドル１６を有している。
【００２６】
パチンコ機２は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００２７】
筐体枠４は、このパチンコ機２全体を囲むための枠体であり、全体として略直方体形状を呈してその前後面部分が大きく開口して略筒状とされている。筐体枠４の材料としては木材や樹脂が用いられる場合もあるが、本実施の形態１においては、筐体枠４の材料としてアルミニウムが用いられている。
【００２８】
図２は、筐体枠４の外観を部分的に切断して示す部分断面図である。この筐体枠４は、パチンコ機２全体の上下面及び左右側面を囲むように、上面部４ａ、下面部４ｂ、左側面部４ｃ、右側面部４ｄを有している。各面部４ａ〜４ｄは、略同様の断面形状を有して形成されている。
【００２９】
各面部４ａ〜４ｄの断面において、第１外周部５ａは筐体枠４の外周を取り囲むように略長方形状に突出して形成されている。その第１外周部５ａの内側周囲には第１外周部と段違いとなるように第１内周部５ｂがやはり略長方形状に形成されている。すなわち、第１内周部５ｂは、第１外周部５ａよりも筐体枠４の側面に沿った方向（すなわち、図中Ｘ方向。）で低い位置に形成されている。そして、その第１外周部５ａと第１内周部５ｂとを連結する面、すなわち、第１外周部の内側面が周壁５ｃとされている。
【００３０】
この筐体枠４は、全体をダイキャスト等により一体成形することももちろん可能である。しかしながら、上面部４ａ、下面部４ｂ、左側面部４ｃ、右側面部４ｄをそれぞれ押出成形によって形成し、それぞれの端部を連結して筐体枠４とすれば、より一層部品コストを低減することができる。その際、第１外周部５ａ、第１内周部５ｂ、周壁５ｃが一体となった断面形状を有する押出型を用いてアルミニウム材料を押出成形する。
【００３１】
この筐体枠４の前面（すなわち、遊技者側。）から見て左側面側には機枠８及び装飾枠１２を揺動支持するためのヒンジ部（揺動支持部）１８が設けられている。例えば、左側面部４ｃに近い側の上面部４ａ及び下面部４ｂにヒンジ部１８が設けられ、このヒンジ部１８に軸支されることによって機枠８及び装飾枠１２がその右側面側から開閉可能とされている。
【００３２】
遊技盤６は、このパチンコ機２において、遊技媒体としての球２０による遊技を演出するためのものである。遊技盤６の遊技盤面６ａには、略円形状に周囲を囲むようにレール２２が取り付けられ、このレール２２によって遊技領域６ｂが画定されている。
【００３３】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤６上を球２０が流下する際に、様々な遊技が演出されるようになっている。
【００３４】
遊技盤６の裏面側には入賞口２６に入賞した入賞球やアウト口３０に流入したアウト球を排出するための球通路、図柄表示装置２８の図柄表示制御を行う図柄表示制御基板（図示せず。）、各種役物の動作制御を行う役物制御基板が配置されるが詳細は省略する。
【００３５】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部１８において筐体枠４に軸支され、筐体枠４に対して前面開閉可能に揺動支持されている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００３６】
前面透明板１０は、遊技盤６に対して一定距離離間して配置された透明板である。前面透明板１０は透明平板で形成され、遊技盤６との間に球２０が流下する流下空間を形成する機能、遊技者が前面透明板１０を通して遊技盤６を視認できるように視認性を確保する機能、遊技者が遊技盤６に不正にアクセス（接触）できないように不正アクセスを防止する機能、を発揮する。
【００３７】
そのため、前面透明板１０の素材としては一般にガラスが使用されるが、もちろん透明アクリル等の樹脂材料が使用されてもよい。また、本実施の形態１においては、前面透明板１０が後述する装飾枠１２に保持されるが、前面透明板１０が遊技盤６の前面に取り付けられて、遊技盤６とともに機枠８に保持されるように構成されていてもよい。
【００３８】
装飾枠１２は、前面透明板１０又はその周囲を囲む装飾部材３２を保持するための枠体である。本実施の形態１においては、装飾枠１２は、前面透明板１０及び装飾部材３２の両方を保持しているが、もちろん、前面透明板１０を保持せず装飾部材３２のみを保持するものであってもよい。
【００３９】
装飾枠１２は、機枠８の前面側に配置されてヒンジ部１８において機枠８とともに筐体枠４に軸支され、筐体枠４に対して前面開閉可能に揺動支持されている。その装飾枠１２は、例えば樹脂によって形成され、その中央部には前面透明板１０を取り付けるための取付け開口が形成されている。その前面透明板１０の周囲には、パチンコ機２を装飾するための造形物や電飾用ランプ等が付された装飾部材３２が取り付けられ、パチンコ機２の遊技演出に寄与している。
【００４０】
この装飾枠１２は、施錠装置１によって筐体枠４と閉鎖状態に施錠可能となっている。閉鎖状態では、装飾枠１２及び前面透明板１０によって遊技盤６の前面側が覆われる。それにより、遊技盤面６ａ上の球２０の流下路が形成されるとともに遊技者が前面から遊技盤６へとアクセスできないようになっている。
【００４１】
図３は、この装飾枠１２を内側（すなわち、遊技盤６側。）から見た外観斜視図であり、図４は、枠体ユニット３（筐体枠４及び装飾枠１２。）の閉鎖状態を示す部分断面図である。図４は、筐体枠４の左側面部４ｃにおける両者の閉鎖状態を示している。
【００４２】
装飾枠１２は、その最外周部分で装飾枠１２全体を略コ字状に囲む第２外周部１２ａを有している。この第２外周部１２ａは、両枠体４，１２の閉鎖状態で第１外周部５ａと対向するように形成されている。それにより、枠体４，１２外部から遊技盤６に向けての異物の侵入を阻止している。
【００４３】
この第１外周部５ａと第２外周部１２ａとの対向部分には、隙間１２ｂが形成されている。したがって、この隙間１２ｂより細い異物であれば、隙間１２ｂを通過して枠体４，１２内部に侵入可能である。しかしながら、後述するリブ（第２内周部）１３ａによってこの隙間が遮蔽されるので、異物が遊技盤６に到達することはない。すなわち、リブ１３ａによる遮蔽によって異物の侵入を確実に防止することができるので、必要以上に隙間１２ｂを狭く寸法管理する必要がない。結果として、枠体４，１２の部品コストや組立てコストを低減することができる。
【００４４】
装飾枠１２は、その内側周囲に遮蔽板１３を有している。この遮蔽板１３は、鉄等の金属板で形成された略コ字状の板金部材であって、前面透明板１０の周囲を囲むように装飾枠１２に取り付けられている。
【００４５】
遮蔽板１３は、その周囲に立設状のリブ１３ａが形成されている。そしてそのリブ１３ａが、閉鎖状態で筐体枠４の第１内周部５ｂと対向するように構成されている。すなわち、リブ１３ａは、装飾枠１２の第２外周部１２ａよりも突出形成されており、その外側面１３ｂが隙間１２ｂを遮蔽する機能を発揮している。
【００４６】
このように、第１外周部５ａ及び第２外周部１２ａによって異物の侵入を阻止し、さらにその隙間１２ｂからの異物の侵入をリブ１３ａの外側面１３ｂが遮断するようになっている。したがって、不正遊技を効果的に防止することができる。しかも、筐体枠４がアルミニウムで形成され、リブ１３ａが鉄等の金属板で形成されているので、悪質なドリルによる孔開けをも阻止し得る。
【００４７】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち、装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの貯留皿が構成されていてもよい。
【００４８】
上皿１４は、景品球としてパチンコ機２から払い出された球２０を受け取る機能や、その球２０を球供給装置（いわゆる整流器、図示せず。）を介して球発射装置に導くべく貯留する機能を有している。また、球２０が多量となって上皿１４に貯留し切れなくなった場合や遊技者が遊技を終了する場合に、球排出ボタン１４ｂによって下皿１５へと球２０を排出することができるようになっている。
【００４９】
図示しない球発射装置は、遊技媒体としての球（パチンコ球）２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００５０】
発射ハンドル１６は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１６ａが回転可能となっている。遊技者は、発射ハンドル１６を手で保持しつつ、強度調整杆１６ａを回転させることにより、球２０の発射強度を調整することができるようになっている。
【００５１】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。
【００５２】
［実施の形態２］
図５は、本発明の実施の形態２に係る枠体ユニット３の閉鎖状態を示す部分断面図である。この実施の形態２においては、装飾枠１２が板金部材としての遮蔽板１３を有するのでなく、第２外周部１２ａ及びリブ１３ａを含んで樹脂で一体成形されている。
【００５３】
装飾枠１２と遮蔽板１３とを別々に製造して両者を組み立てる必要がないので、部品コスト及び組立てコストの更なる低減に寄与することができる。もちろん、リブ１３ａの外側面１３ｂに別途形成した金属板を取り付けることにより、不正遊技防止効果を一層向上させてもよいし、必要な部分、例えば異物の侵入が頻繁に行われる部分のみに金属板を取り付けてもよい。
【００５４】
［実施の形態３］
図６は、本発明の実施の形態３に係る枠体ユニット３の閉鎖状態を示す部分断面図である。この実施の形態３においては、第１外周部５ａよりも第１内周部５ｂが突出するように形成されている。そしてその第１外周部５ａに対向するように、装飾枠１２の第２外周部１２ａが形成されている。したがって、第１内周部５ｂの外側面が周壁５ｃとしての機能を発揮し、その周壁５ｃが第１外周部５ａと第２外周部１２ａとの隙間１２ｂを遮蔽して異物の侵入を遮断する。
【００５５】
筐体枠４がアルミニウムで形成されている場合には、隙間１２ｂを遮蔽する周壁５ｃもアルミニウムで形成されるので、充分な不正防止効果を発揮してドリルによる孔開けをも阻止する。この場合においては、周壁５ｃが遮蔽機能を発揮しているので、遮蔽板１３を省略することもできる。
【００５６】
以上、本発明の好ましい実施の形態を説明したが、本発明はこれらに限定されるものではなく、その要旨の範囲内で様々な変形や変更が可能である。
【図面の簡単な説明】
【００５７】
【図１】本発明の実施の形態１に係る枠体ユニットを有するパチンコ機の外観斜視図である。
【図２】図１に示す枠体ユニットの一部である筐体枠の外観を部分的に切断して示す部分断面図である。
【図３】図１に示す枠体ユニットの一部である装飾枠を内側から見た外観斜視図である。
【図４】図１に示す枠体ユニットの閉鎖状態を示す部分断面図である。
【図５】本発明の実施の形態２に係る枠体ユニットの閉鎖状態を示す部分断面図である。
【図６】本発明の実施の形態３に係る枠体ユニットの閉鎖状態を示す部分断面図である。
【符号の説明】
【００５８】
Ｘ：矢印
１：施錠装置
２：パチンコ機（遊技機）
３：枠体ユニット
４：筐体枠（第１枠体、枠体ユニットの一部）
４ａ：上面部
４ｂ：下面部
４ｃ：左側面部
４ｄ：右側面部
５ａ：第１外周部
５ｂ：第１内周部
５ｃ：周壁
６：遊技盤（遊技装置体）
６ａ：遊技盤面
６ｂ：遊技領域
８：機枠
１０：前面透明板
１２：装飾枠（第２枠体、枠体ユニットの一部）
１２ａ：第２外周部
１２ｂ：隙間
１３：遮蔽板
１３ａ：リブ（第２内周部）
１３ｂ：外側面
１４：上皿（貯留皿）
１４ｂ：球排出ボタン
１５：下皿
１６：発射ハンドル
１６ａ：強度調整杆
１８：ヒンジ部（揺動支持部）
２０：球（遊技媒体）
２２：レール
２４：ゲージ
２６：入賞口
２８：図柄表示装置
３０：アウト口
３２：装飾部材
【図１】
2008173304.tif 000003
【図２】
2008173304.tif 000004
【図３】
2008173304.tif 000005
【図４】
2008173304.tif 000006
【図５】
2008173304.tif 000007
【図６】
2008173304.tif 000008